(57)【要約】【課題】停電時にバッテリからの電力によって照明を点灯させる照明用電源回路等を提供する。【解決手段】  片切スイッチを介してＡＣ電源に接続され、かつ、バッテリ部および照明部に接続されて使用され、前記照明部を点灯及び消灯させる照明用電源回路であって、前記ＡＣ電源からの交流波形が入力可能であって、前記交流波形における位相のずれを検出する位相検出部と、前記ＡＣ電源からの電力供給が停止した際、前記バッテリ部の電力を前記照明部に供給する供給状態と、前記バッテリ部の電力を前記照明部に供給しない非供給状態とで、第２経路の接続状態を切り換え可能な切り換え部と、を有しており、前記切り換え部は、前記ＡＣ電源からの電力供給が停止した際、前記位相検出部で検出された前記位相のずれに基づき、前記供給状態と、前記非供給状態とを切り換えることを特徴とする照明用電源回路。【選択図】図２
2018010784.tif 000002
【特許請求の範囲】
【請求項１】
片切スイッチを介してＡＣ電源に電気的に接続され、かつ、バッテリ部および照明部に電気的に接続されて使用され、前記照明部を点灯及び消灯させる照明用電源回路であって、
前記ＡＣ電源からの電力を前記照明部に供給する第１経路と、
前記バッテリ部の電力を前記照明部に供給する第２経路と、
前記ＡＣ電源からの交流波形が入力可能であって、前記交流波形における位相のずれを検出する位相検出部と、
前記ＡＣ電源からの前記照明部への前記第１経路を介する電力供給が停止した際、前記バッテリ部の電力を前記照明部に供給する供給状態と、前記バッテリ部の電力を前記照明部に供給しない非供給状態とで、前記第２経路の接続状態を切り換え可能な切り換え部と、を有しており、
前記切り換え部は、前記ＡＣ電源からの電力供給が停止した際、前記位相検出部での検出結果に基づき、前記供給状態と、前記非供給状態とを選択することを特徴とする照明用電源回路。
【請求項２】
前記ＡＣ電源からの電力を直流変換するＡＣ−ＤＣ変換部を有し、前記位相検出部は前記ＡＣ−ＤＣ変換部の入力側に電気的に接続しており、前記第１経路は前記ＡＣ−ＤＣ変換部の出力側に電気的に接続していることを特徴とする請求項１に記載の照明用電源回路。
【請求項３】
片切スイッチを介してＡＣ電源に電気的に接続され、かつ、バッテリ部および照明部に電気的に接続されて使用され、前記照明部を点灯及び消灯させる照明用電源回路であって、
前記ＡＣ電源からの電力を前記照明部に供給する第１経路と、
前記バッテリ部の電力を前記照明部に供給する第２経路と、
前記ＡＣ電源からの交流波形が入力可能であって、前記ＡＣ電源からの電力供給が停止した際における前記交流波形の残留電位を検出する電位検出部と、
前記ＡＣ電源からの前記照明部への前記第１経路を介する電力供給が停止した際、前記バッテリ部の電力を前記照明部に供給する供給状態と、前記バッテリ部の電力を前記照明部に供給しない非供給状態とで、前記第２経路の接続状態を切り換え可能な切り換え部と、を有しており、
前記切り換え部は、前記ＡＣ電源からの電力供給が停止した際、前記電位検出部での検出結果に基づき、前記供給状態と、前記非供給状態とを選択することを特徴とする照明用電源回路。
【請求項４】
前記ＡＣ電源からの電力を前記バッテリ部に供給する第３経路をさらに有する請求項１から請求項３までのいずれかに記載の照明用電源回路。
【請求項５】
請求項１から請求項４のいずれか１つに記載の照明用電源回路と、
前記第１経路を介して前記ＡＣ電源に電気的に接続される前記バッテリ部と、
前記第２経路を介して前記ＡＣ電源に電気的に接続される前記照明部と、
を有する照明装置。
【発明の詳細な説明】
【技術分野】
【０００１】
本発明は照明用電源回路および照明装置に関し、特に片切スイッチを介してＡＣ電源と接続されて使用される照明用電源回路及び照明装置に関する。
【背景技術】
【０００２】
近年、防災意識の高まりや施設の安全性向上の観点から、災害等に伴う停電が発生した場合においても、バッテリの電力により点灯可能な照明装置が注目されている。たとえば、オフィスの照明装置は、通常、オフィスを含む地域が停電した際は消灯してしまうが、その照明装置について、バッテリ等の別電源からも電力を供給可能な状態としておくことにより、停電等が発生した場合にでも、照明装置を所定時間点灯させてオフィス内の明るさを確保できる。このような照明装置は、停電発生によるパニックを回避し、安全な避難に資する。
【０００３】
一方、オフィスや住宅等の天井などに備えられる照明装置は、照明装置とは離れて壁等に備えられる外部スイッチにより、点灯及び消灯を切り換えられるものが多い。また、壁等に備えられる外部スイッチとしては、照明装置は比較的低電力で駆動されるため、たとえばＬ側とＮ側の両方をオープンする両切スイッチではなく、片方のみをオープンする片切スイッチが多用される。
【０００４】
停電時にも点灯可能な照明装置としては、たとえばバッテリを備えたＬＥＤ照明装置等が提案されている。ここで、停電時においてバッテリからの電力を用いて点灯可能な照明装置に用いられる照明用電源回路としては、外部スイッチをＯＦＦした場合の電源供給停止と、停電による電源供給停止とを区別できることが好ましい。なぜなら、これを判別できず、ＡＣ電源からの電力供給が停止した後に常にバッテリによる点灯動作を行わせる回路では、自由な屋内照度の調整に支障をきたすほか、電力消費量も多くなるからである。
【０００５】
外部スイッチをＯＦＦした場合の電源供給停止と、停電による電源供給停止とを判別できる照明装置としては、例えば外部スイッチ等から、電力供給用の配線とは別途、停電検出用の配線を引くものがある（特許文献１等参照）。また、ＡＣ電源からの電力供給が停止した場合であっても、所定時間内に２回以上の電圧降下がある場合は、バッテリによる点灯動作を行わないようにした回路も提案されている（特許文献２等参照）。
【先行技術文献】
【特許文献】
【０００６】
【特許文献１】特開２０１５−１１８８３７号公報
【特許文献２】特開２０１４−２９０４号公報
【発明の概要】
【発明が解決しようとする課題】
【０００７】
しかし、停電検出用の配線を引く必要がある電源回路を用いる照明装置の場合、配線数が多くなるため設置費用が高くなる問題がある。また、既存の照明装置は停電検出用の配線を備えないものが多いため、従来の照明装置と付け替えるだけでは、外部スイッチからのＯＮ／ＯＦＦ動作および停電時の点灯動作を、正常に行うことができないという問題がある。
【０００８】
また、所定時間内における２回以上の電圧降下（いわゆる２回切り）を検出して消灯動作を行う照明装置の場合、従来の照明装置に対して容易に付け替え可能であるという利点を有する。ただし、このような照明装置に関しては、外部スイッチの操作方法を知らない者が、ＯＮ／ＯＦＦ操作を行おうとした場合、混乱をきたすおそれがある。なぜなら、このような照明装置は、通常のスイッチと同様に１回の回路オープン操作を行うだけでは、消灯しないからである。また、このような照明装置では、スイッチの操作回数が多くなるため、通常より消灯操作に手間がかかり、また、スイッチに要求される耐久性能も高くなるという課題がある。
【０００９】
本発明は、このような課題に鑑みてなされ、その目的は、停電時にバッテリからの電力によって照明を点灯させることが可能であり、既存の設備と容易に置き換え可能であり、特殊な操作を行わないでも消灯できる照明用電源回路等を提供することである。
【課題を解決するための手段】
【００１０】
本発明に係る照明用電源回路は、片切スイッチを介してＡＣ電源に電気的に接続され、かつ、バッテリ部および照明部に電気的に接続されて使用され、前記照明部を点灯及び消灯させる照明用電源回路であって、
前記ＡＣ電源からの電力を前記照明部に供給する第１経路と、
前記バッテリ部の電力を前記照明部に供給する第２経路と、
前記ＡＣ電源からの交流波形が入力可能であって、前記交流波形における位相のずれを検出する位相検出部と、
前記ＡＣ電源からの前記照明部への前記第１経路を介する電力供給が停止した際、前記バッテリ部の電力を前記照明部に供給する供給状態と、前記バッテリ部の電力を前記照明部に供給しない非供給状態とで、前記第２経路の接続状態を切り換え可能な切り換え部と、を有しており、
前記切り換え部は、前記ＡＣ電源からの電力供給が停止した際、前記位相検出部での検出結果に基づき、前記供給状態と、前記非供給状態とを選択することを特徴とする。
【００１１】
本発明に係る照明用電源回路は、片切スイッチを介してＡＣ電源と接続される態様で使用され、位相のずれを検出する位相検出部を有している。すなわち、位相検出部は、片切スイッチにより回路がオープンされた際に生じる特徴的な位相のずれを検出するか、又は、停電時にそのような位相ずれがほとんど発生しないことを検出し、検出結果を切り換え部に出力する。切り換え部は、位相検出部で検出された検出結果に基づき、バッテリからの電力の供給状態を切り換えることにより、スイッチ操作時は照明部を消灯させ、停電時はバッテリからの電力によって照明部を点灯させることができる。なお、位相検出部は、例えば、ＡＣ電源と照明用電源回路とによって形成される交流回路に関して、片切スイッチにより回路がオープンされた直後の電圧又は電流変化が、停電直後における電圧又は電流変化とは異なることに基づき、これを検出することにより位相のずれを検出できるが、位相のずれの具体的な検出方法は特に限定されない。
【００１２】
本発明に係る照明用電源回路は、上述のような位相検出部を有するため、別途停電を検出するような配線が必要なく、既存の照明設備と容易に交換可能である。また、ＡＣ電源からの電力の供給が停止した際、位相検出部が、停電であるか外部スイッチがＯＦＦされたのかを、位相ずれの検出から認識することができるため、ユーザーは、特殊な操作を行わなくても、通常通り外部スイッチを１回だけＯＦＦにすることで、照明を消灯させることができる。また、停電時は、自動的にバッテリから照明部に電力を供給することにより、ＡＣ電源からの電力が途絶えても、照明を点灯させることができる。
【００１３】
また、例えば、本発明に係る照明用電源回路は、前記ＡＣ電源からの電力を直流変換するＡＣ−ＤＣ変換部を有してもよく、前記位相検出部は前記ＡＣ−ＤＣ変換部の入力側に電気的に接続しており、前記第１経路は前記ＡＣ−ＤＣ変換部の出力側に電気的に接続していてもよい。
【００１４】
このようなＡＣ−ＤＣ変換部を有する電源回路は、ＬＥＤ照明やハロゲンランプを有しており直流電源を用いる照明部に対して、第１経路を介して電力を供給できる。また、位相検出部をＡＣ−ＤＣ変換部の入力側に接続することで、位相ずれを適切に検出できる。
【００１５】
本発明の第２の観点に係る照明用電源回路は、
片切スイッチを介してＡＣ電源に電気的に接続され、かつ、バッテリ部および照明部に電気的に接続されて使用され、前記照明部を点灯及び消灯させる照明用電源回路であって、
前記ＡＣ電源からの電力を前記照明部に供給する第１経路と、
前記バッテリ部の電力を前記照明部に供給する第２経路と、
前記ＡＣ電源からの交流波形が入力可能であって、前記ＡＣ電源からの電力供給が停止した際における前記交流波形の残留電位を検出する電位検出部と、
前記ＡＣ電源からの前記照明部への前記第１経路を介する電力供給が停止した際、前記バッテリ部の電力を前記照明部に供給する供給状態と、前記バッテリ部の電力を前記照明部に供給しない非供給状態とで、前記第２経路の接続状態を切り換え可能な切り換え部と、を有しており、
前記切り換え部は、前記ＡＣ電源からの電力供給が停止した際、前記電位検出部での検出結果に基づき、前記供給状態と、前記非供給状態とを選択することを特徴とする。
【００１６】
本発明の第２の観点に係る照明用電源回路は、片切スイッチを介してＡＣ電源と接続される態様で使用され、ＡＣ電源からの電力供給が停止した際における交流波形の残留電位を検出する電位検出部を有している。電位検出部は、片切スイッチにより回路がオープンされた直後の残留電位と、停電直後における残留電位の違いから、ＡＣ電源からの電力供給が停止された際、その停止が、片切スイッチが操作されて回路がオープンされたことに起因するものなのか、停電が発生したことに起因するものかを識別することができる。切り換え部は、上述した位相検出部で検出された検出結果に替えて、または、位相検出部で検出された検出結果に加えて、電位検出部の検出結果に基づき、バッテリからの電力の供給状態を切り換えることにより、片切スイッチ操作時は照明部を消灯させ、停電時はバッテリからの電力によって照明部を点灯させることができる。
【００１７】
また、例えば、本発明に係る照明用電源回路は、前記ＡＣ電源からの電力を前記バッテリ部に供給する第３経路をさらに有してもよい。
【００１８】
このような照明用電源回路は、バッテリ部に供給する第３経路を有しているため、別途充電用の回路を用意しなくても、停電時に照明を点灯させる電力を、バッテリ部に充電することができる。
【００１９】
また、本発明に係る照明装置は、上記いずれかの照明用電源回路と、
前記第１経路を介して前記ＡＣ電源に電気的に接続される前記バッテリ部と、
前記第２経路を介して前記ＡＣ電源に電気的に接続される前記照明部と、を有する。
【００２０】
本発明に係る照明装置は、上述した照明用電源回路を有するため、停電時にバッテリ部からの電力によって照明を点灯させることが可能であり、既存の設備と容易に置き換え可能であり、特殊な操作を行わないでも消灯できる。
【図面の簡単な説明】
【００２１】
【図１】図１は、本発明の一実施形態に係る照明装置の概略図である。
【図２】図２は、図１に示す照明装置に含まれる照明用電源回路の構成を表すブロック図である。
【図３】図３は、図２に示す照明用電源回路における位相検出部で検出される位相のずれを表す概念図である。
【図４】図４は、照明用電源回路における切り換え部の制御の一例を表すフローチャートである。
【図５】図５は、切り換え部の制御の他の一例を表すフローチャートである。
【図６】図６は、第２実施形態に係る照明装置に含まれる照明用電源回路の構成を表すブロック図である。
【図７】図７は、図６に示す照明用電源回路における電位検出部で検出される残留電位を表す概念図である。
【発明を実施するための形態】
【００２２】
図１は、本発明の一実施形態に係る照明装置３０を表す概略図である。照明装置３０は、電力の供給を受けて発光するＬＥＤ５２等を有する照明部５０と、電力を蓄えることができるバッテリ部４０と、ＡＣ電源１０及びバッテリ部４０の電力を用いて照明部５０を点灯及び消灯させる照明用電源回路６０とを有する。
【００２３】
照明用電源回路６０は、外部スイッチである片切スイッチ２０を介してＡＣ電源１０に電気的に接続されている。ＡＣ電源１０は、例えば、発電設備から送電設備及びブレーカー等を介して供給される商用電源であり、照明用電源回路６０は、Ｌ側（非接地側）、Ｎ側（接地側）の２ラインの配線で、ＡＣ電源１０から電力を供給される。ただし、ＡＣ電源１０から照明用電源回路６０までの配線はこれに限定されず、また、照明用電源回路６０に供給される電圧等も、特に限定されない。
【００２４】
片切スイッチ２０は、ＡＣ電源１０と照明用電源回路６０およびこれを含む照明装置３０とを配線して形成される回路を、オープン及びクローズさせることができる。片切スイッチ２０は、回路のＬ側（非接地側）のみをオープンさせることで、ＡＣ電源１０から照明用電源回路６０への電力の供給を停止させるスイッチであり、回路のＬ側（非接地側）とＮ側（接地側）との両方を一緒にオープンさせる両切スイッチとは異なる。
【００２５】
照明装置３０の設置位置は特に限定されないが、例えば屋内の天井等のような手の届かない位置に設けられる場合がある。これに対して、片切スイッチ２０は、照明用電源回路６０およびこれを含む照明装置３０とは離れた位置に配置され、例えば、片切スイッチ２０は、壁や柱等の手の届く位置に設けられる。
【００２６】
照明部５０は、基板５４と、基板５４に配置されたＬＥＤ５２を有している。照明部５０は、照明用電源回路６０に対して電気的に接続されている（図２参照）。照明部５０は、例えばＬＥＤ５２のような発光部を複数有していてもよく、発光部を１つのみ有するものであってもよい。照明部５０の発光部は、バッテリ部４０の電力による点灯時間を確保する観点から、消費電力の小さいＬＥＤ５２が好ましいが、これに限定されず、ハロゲンランプ等の他の発光部であってもよい。照明部５０は、照明用電源回路６０を介して供給されるＡＣ電源１０からの電力により、発光することができる。さらに、照明部５０は、照明用電源回路６０を介して供給されるバッテリ部４０からの電力によっても、発光することができる。
【００２７】
図２に示すように、バッテリ部４０は、ＢＴ制御ＩＣ４２及びバッテリ本体４４を有する。ＢＴ制御ＩＣ４２は、バッテリ本体４４の充放電が正常に行われるように、バッテリ本体４４の充放電を制御することができる。ＢＴ制御ＩＣ４２は、例えばバッテリ本体４４が所定の電圧を超えると照明用電源回路６０からのバッテリ本体４４への電力の供給を停止させ、バッテリ本体４４の過充電を防止することができる。バッテリ本体４４は、例えば、リチウムイオン電池のような充放電可能な二次電池で構成されるが、バッテリ本体４４としてはこれに限定されず、ニッカド電池やニッケル水素電池等で構成されていてもよい。
【００２８】
なお、本実施形態に係る照明装置３０では、バッテリ部４０は照明部５０と一緒に照明装置３０の筐体内に収納されているが、バッテリ部４０は、照明装置３０とは別途設置され、配線等で照明用電源回路６０に対して電気的に接続されていてもよい。また、ＢＴ制御ＩＣ４２は、本実施形態のようにバッテリ部４０に含まれていてもよいが、照明用電源回路６０に備えられていてもよい。
【００２９】
図２に示すように、照明用電源回路６０は、片切スイッチ２０を介してＡＣ電源１０に電気的に接続され、かつ、バッテリ部４０及び照明部５０に電気的に接続されて使用される。照明用電源回路６０は、第１経路６２、第２経路６４、第３経路６６、ＡＣ−ＤＣ変換部６８、位相検出部７０および切り換え部７２を有する。
【００３０】
照明用電源回路６０は、ＡＣ電源１０からの交流の電力を直流の電力に変換するＡＣ−ＤＣ変換部６８を有している。ＡＣ−ＤＣ変換部６８で直流変換された電力は、第１経路６２を介して照明部５０に送られ、また、第３経路６６を介してバッテリ部４０に送られる。
【００３１】
第１経路６２は、ＡＣ電源１０からの電力を照明部５０に供給する。第１経路６２は、ＡＣ電源１０が停電しておらず、かつ、片切スイッチ２０が閉じられている状態では、常に照明部５０に電力を供給し、照明部５０のＬＥＤ５２を点灯させる。ただし、第１経路６２としてはこれに限定されず、例えばリモートコントロール可能であって、照明部５０への電力の供給を遮断および接続可能な内部スイッチが、第１経路６２に設けられていてもよい。
【００３２】
第３経路６６は、ＡＣ電源１０からの電力をバッテリ部４０に供給する。第３経路６６は、ＡＣ電源１０が停電しておらず、かつ、片切スイッチ２０が閉じられている状態において、バッテリ部４０に電力を供給し、バッテリ本体４４の充電を行う。ただし、バッテリ本体４４が十分に充電された状態になると、ＢＴ制御ＩＣ４２は、ＡＣ電源１０からバッテリ本体４４への電力の供給を停止させる。
【００３３】
第１経路６２及び第３経路６６は、ＡＣ−ＤＣ変換部６８の出力側に電気的に接続しており、照明部５０およびバッテリ部４０に対して直流変換された電力を供給する。なお、照明用電源回路６０は、ＡＣ−ＤＣ変換部６８の他に、照明部５０へ供給する電力の電流値や電圧値を調整する電流（電圧）調整部を有していてもよく、ＡＣ−ＤＣ変換部６８は、それらの部分及び第１経路６２、第２経路６４及び切り換え部７２とあわせて、照明部５０を駆動するドライバとして機能する。
【００３４】
第２経路６４は、バッテリ部４０の電力を照明部５０に供給する。ただし、第２経路６４には、第２経路６４の接続状態を切り換え可能な切り換え部７２が備えられている。すなわち、切り換え部７２は、バッテリ部４０の電力を照明部５０に供給する供給状態と、バッテリ部４０の電力を照明部５０に供給しない非供給状態とで、第２経路６４の接続状態を切り換えることができる。
【００３５】
切り換え部７２は、ＡＣ電源１０から照明部５０へ、第１経路６２を介して電力が供給されている間は、第２経路６４の接続状態を非供給状態とする。したがって、ＡＣ電源１０から照明部５０へ電力が供給されている間は、バッテリ部４０から照明部５０に対して、電力は供給されない。
【００３６】
また、後述するように、切り換え部７２は、ＡＣ電源１０から照明部５０への第１経路６２を介する電力供給が停止した際、位相検出部７０の検出結果に基づき、第２経路６４の接続状態を、供給状態と非供給状態との間で切り換える。切り換え部７２が第２経路６４の接続状態を供給状態とすると、バッテリ部４０から照明部５０へ、第２経路６４を介して電力が供給され、照明部５０が点灯する。一方、切り換え部７２が第２経路６４の接続状態を非供給状態とすると、ＡＣ電源１０およびバッテリ部４０のいずれからも照明部５０へ電力が供給されず、照明部５０が消灯する。
【００３７】
位相検出部７０は、ＡＣ電源１０からの交流波形が入力可能であって、交流波形における位相のずれを検出する。図２に示すように、位相検出部７０は、ＡＣ−ＤＣ変換部６８の入力側に電気的に接続されており、直流変換する前の交流波形が入力される。位相検出部７０は、ＡＣ電源１０からの電力供給が停止された際に生じる位相のずれを検出し、所定の位相ずれを検出したか否を切り換え部７２が認識できるように、切り換え部７２に検出結果を出力する。位相検出部７０は、所定の位相のずれを検出した場合のみ、または、所定の位相のずれを検出しなかった場合のみ、切り換え部７２に対して出力をおこなうものであってもよく、位相のずれを検出した場合と検出しなかった場合とで、切り換え部７２に対して異なる出力をおこなうものであってもよい。
【００３８】
図３（ａ）は、ＡＣ電源１０と照明用電源回路６０のＡＣ−ＤＣ変換部６８との間に形成された回路が、片切スイッチ２０がＯＦＦ操作されることでオープンされる直前から直後において、その回路で生じる電圧（電流）変化の一例を表したものである。図３（ａ）に示すように、交流波形８０が検出されるＡＣ電源１０と照明用電源回路６０との間の回路（より詳細には、ＡＣ電源１０とＡＣ−ＤＣ変換部６８との間の回路）が片切スイッチ２０によりオープン（ＯＦＦ）された直後において、図３（ｂ）に示すような位相のずれ８２に伴う電圧（電流）変化が生じる。このような位相のずれ８２は、回路の片側（例えば非接地側（Ｌ側））のみがオープンされた場合、ＡＣ電源１０と照明用電源回路６０とを接続する配線の一方のみ（例えば接地側（Ｎ側））、ＡＣ電源１０に対する接続が残され、非対称な接続状態となることによるものであると考えられる。なお、位相のずれ８２が電圧（電流）変化として現れる時間は、交流周波数等に応じて変化するが、たとえば回路がオープンされてから０．１〜１００ｍｓ程度である。
【００３９】
また、図３（ｂ）は、ＡＣ電源１０が停電する直前から直後において、ＡＣ電源１０と照明用電源回路６０との間に形成された回路で生じる電圧（電流）変動の一例を表したものである。図３（ｂ）に示すように、ＡＣ電源１０が停電した直後には、図３（ａ）に示す片切スイッチ２０ＯＦＦの際とは異なり、ほとんど位相のずれが生じず、図３（ａ）に示すような電圧（電流）変化は生じない。
【００４０】
図２に示す位相検出部７０は、片切スイッチ２０により回路がオープンされた際に生じる位相のずれ８２（図３（ａ）参照）を検出するか、又は、停電時にそのような位相のずれ８２が見られない波形（図３（ｂ）参照）を検出することにより、位相のずれ８２が生じたか否かを検出できる。たとえば、位相のずれ８２を検出する検出回路としては、図３（ｂ）に示すような位相のずれがほとんど生じていない波形に対する差分を検出したり、位相のずれ８２に伴う電圧（電流）変化にみられるノイズを増幅等して検出したりするような回路が例示されるが、特に限定されない。また、位相検出部７０は、位相のずれ８２を検出する際、必要に応じてバッテリ部４０の電力を用いることができる。たとえば、位相検出部７０は、バッテリ部４０の電力を用いて、図３（ａ）に示す位相のずれ８２及びそれに含まれるノイズを増幅して検出してもよい。
【００４１】
図４は、図１及び図２に示す照明用電源回路６０において、切り換え部７２が行う切り換え制御の一例を表すフローチャートである。なお、以下の説明では、照明用電源回路６０の位相検出部７０が、片切スイッチ２０により回路がオープンされた際に生じる位相のずれ８２（図３（ａ））を検出する場合を例に、説明を行う。
【００４２】
図１に示すステップＳ００１では、切り換え部７２が制御を開始する。切り換え部７２は、例えば、それまで途絶えていたＡＣ電源１０からの電力供給が再開された際に、制御を開始する。ＡＣ電源１０からの電源供給は、照明装置３０を点灯させようとする操作者が、片切スイッチ２０を操作することにより、ＡＣ電源１０と照明装置３０の間で形成される回路をクローズさせることで、再開される。
【００４３】
制御を開始した切り換え部７２は、図５に示すステップＳ００２において、第２経路６４の接続状態を非供給状態とする。したがって、バッテリ部４０の電力は、照明部５０に供給されない。一方、ＡＣ電源１０から照明用電源回路６０への電力供給が再開されたことにより、照明部５０には、第１経路６２を介してＡＣ電源１０からの電力が供給され、ＡＣ電源１０からの電力によって、ＬＥＤ５２が点灯する。また、バッテリ本体４４が完全に充電されていない状態であれば、バッテリ部４０には、第３経路６６を介してＡＣ電源１０からの電力が供給され、バッテリ本体４４が充電される。
【００４４】
ステップ００３において、切り換え部７２は、ＡＣ電源１０からの電力供給が停止されたか否かを検出する。切り換え部７２は、ＡＣ電源１０からの電力供給が停止されていない場合、すなわちＡＣ電源１０から照明用電源回路６０への電力供給が継続されている間、第２経路６４の接続状態を非供給状態に維持する。一方、切り換え部７２は、ＡＣ電源１０からの電力供給が停止されたことを検出すると、ステップＳ００４の処理に進む。
【００４５】
ステップＳ００４では、切り換え部７２は、位相検出部７０で位相のずれ８２が検出されたか否かを判断する。切り換え部７２は、位相検出部７０において、回路が片切スイッチ２０によりオープンされる際に特徴的な位相のずれ８２（図３（ａ）参照）が検出されている場合は、第２経路６４を非供給状態に維持したまま、処理を終了する（ステップＳ００６）。この場合、照明部５０には、ＡＣ電源１０からもバッテリ部４０からも電力が供給されないため、ＬＥＤ５２が消灯する。
【００４６】
一方、切り換え部７２は、位相検出部７０において位相のずれ８２（図３（ａ）参照）が検出されていない場合は、第２経路６４を供給状態に変更する（ステップＳ００５）。これにより、照明部５０には、第２経路６４を介してバッテリ部４０からの電力が供給され、ＬＥＤ５２が点灯する。なお、照明部５０のＬＥＤ５２が、直前におけるＡＣ電源１０からの電力供給停止（ステップＳ００４で「ＹＥＳ」）に伴い消灯している場合は、第２経路６４の接続状態が切り換わることにより、ＬＥＤ５２が再点灯する。切り換え部７２は、第２経路６４を供給状態にしたまま処理を終了するため（ステップＳ００６）、照明部５０は、バッテリ部４０からの電力供給が続く限り、処理終了後もＬＥＤ５２を点灯させ続ける。ＬＥＤ５２は、バッテリ本体４４の電圧降下に伴い、やがて消灯する。
【００４７】
以上のように、図１及び図２に示す照明用電源回路６０は、位相のずれ８２を検出する位相検出部７０を用いることにより、ＡＣ電源１０から照明用電源回路６０への電力の供給停止が、片切スイッチ２０のＯＦＦ動作によるものか、ＡＣ電源１０の停電によるものかを識別することが可能である。図１に示すように、位相検出部７０は、片切スイッチ２０よりＡＣ電源１０側からの配線を設けることなく上記の判別を行うことができるため、既存の照明設備と容易に交換可能である。また、照明用電源回路６０では、電力の供給停止が停電によるものであるか、外部スイッチがＯＦＦされたことによるものかを、位相検出部７０が位相のずれの有無から検出し、検出結果に基づき切り換え部７２が照明部５０の点灯を制御する。したがって、ユーザーは、片切スイッチ２０に対して特殊な操作を行わなくても、通常通り外部スイッチを１回だけＯＦＦにすることで、照明部５０を消灯させることができる。
【００４８】
また、照明用電源回路６０は、照明部５０を消灯させるために特殊な操作を行う必要がないため、そのスイッチを初めて操作する人も戸惑うことなく消灯操作を行うことができる。したがって、照明用電源回路６０は、公共施設や時間貸しの施設のような場所にも、施設の用途や性質を問わず適用することが可能である。また、照明部５０を消灯させるために片切スイッチ２０を複数回操作する必要がないため、素早く照明部５０を消灯させることができる。また、片切スイッチ２０の耐久寿命に、悪影響を及ぼすこともない。
【００４９】
以上、実施形態を示して本発明を説明したが、本発明はこれらの実施形態のみに限定されず、本発明の技術的範囲には、他の実施形態や変形例が含まれることは言うまでもない。たとえば、照明装置３０では、照明部５０を収容する筐体の内部に、照明用電源回路６０が収納されているが、照明用電源回路６０は、照明部５０を収容する筐体とは別の筐体に収容されてもよく、照明部５０とは離れて配置されてもよい。
【００５０】
また、切り換え部７２の制御方法は、図４に示す方法に限定されず、位相検出部７０の検出結果に基づき、ＡＣ電源１０の停電に伴う電力供給停止時に第２経路６４を供給状態とし、片切スイッチ２０の操作に伴う電力供給停止時に第２経路６４を非供給状態にする方法であれば、他の方法であっても構わない。
【００５１】
図５は、切り換え部７２の変形例に係る制御方法を示すフローチャートである。図５に示す制御方法では、照明用電源回路６０の位相検出部７０が、位相のずれがほとんど生じない電力供給停止（図３（ｂ）に示すような状態）を検出する場合を例に、説明を行う。図５のステップＳ１０１及びステップＳ１０２では、図４に示すステップＳ００１及びステップＳ００２と同様の制御が行われる。
【００５２】
図５のステップＳ１０３に示すように、変形例に係る制御方法では、切り換え部７２は、位相検出部７０が位相のずれを生じない電力供給停止を検出した場合、第２経路６４の接続状態を供給状態に変更する（ステップＳ１０４）。これにより、ＡＣ電源１０からの電力の供給が停電により停止されても、第２経路６４の接続状態が供給状態となることにより、バッテリ部４０から照明部５０へ電力が供給され、照明部５０のＬＥＤ５２が点灯する。
【００５３】
一方、切り換え部７２は、位相検出部７０が位相のずれを生じない電力供給停止を検出しない限り、第２経路６４の接続状態を非供給状態に維持する。したがって、この状態で片切スイッチ２０のＯＦＦ動作により、ＡＣ電源１０から照明用電源回路６０への電力の供給が停止されると、照明部５０へは電力が供給されなくなり、ＬＥＤ５２が消灯する。このように、位相検出部７０は、片切スイッチ２０によって回路がオープンされた際に生じる位相のずれ８２を検出するものであってもよく、これとは異なるＡＣ電源１０の停電時の波形を検出するもの（言い換えると、位相のずれ８２がほとんど生じない電力供給停止を検出するもの）であってもよく、また、その両方を検出するものであってもよい。
【００５４】
図６は、第２実施形態に係る照明装置１３０の構成を表すブロック図である。照明装置１３０に含まれる照明用電源回路１６０は、位相検出部７０及び切り換え部７２の替わりに、電位検出部１７０及び切り換え部１７２を有することを除き、第１実施形態に係る照明装置３０に含まれる照明用電源回路６０と同様である。したがって、照明用電源回路１６０の説明では、照明用電源回路６０との相違点のみ説明する。
【００５５】
電位検出部１７０は、ＡＣ電源１０からの電力供給が停止した際における交流波形８０の残留電位ＶＲを検出する。たとえば、電位検出部１７０は、ＡＣ電源１０からの電力供給が停止することによりＡＣ電源１０による電位が消失する過程を検出する。片切スイッチ２０により回路がオープン（ＯＦＦ）された場合、図７に示すように、ＡＣ電源１０による電位が消失する過程において、交流波形８０の残留電位ＶＲが生じる。残留電位ＶＲは、例えば、片切スイッチ２０により回路がオープン（ＯＦＦ）された直後において、片切スイッチ２０からＡＣ−ＤＣ変換部６８、およびＡＣ−ＤＣ変換部６８からＡＣ電源１０（接地側（Ｎ側））における電流や電圧およびその変化として検出される。
【００５６】
すなわち、図７に示すように片切スイッチ２０により回路がオープン（ＯＦＦ）された場合、停電により電力供給が停止する場合（図３（ｂ）参照）のように即座に電位が消失されず、残留電位ＶＲが生じる。このような残留電位ＶＲは、回路の片側（例えば非接地側（Ｌ側））のみがオープンされた場合、ＡＣ電源１０と照明用電源回路１６０とを接続する配線の一方のみ（例えば接地側（Ｎ側））、ＡＣ電源１０に対する接続が残され、非対称な接続状態となることによるものであると考えられる。なお、残留電位ＶＲが電流（電圧）として現れる時間は、交流周波数等に応じて変化するが、たとえば回路がオープンされてから０．１〜１００ｍｓ程度である。
【００５７】
図６に示す電位検出部１７０は、片切スイッチ２０により回路がオープンされた際に生じる残留電位ＶＲ（図７参照）を検出するか、又は、停電時にそのような残留電位ＶＲが見られない波形（図３（ｂ）参照）を検出することにより、残留電位ＶＲが生じたか否かを検出できる。電位検出部１７０は、ＡＣ電源１０からの電力供給が停止された際に生じる残留電位ＶＲを検出し、所定の位相ずれを検出したか否を切り換え部７２が認識できるように、切り換え部７２に検出結果を出力する。なお、電位検出部１７０は、位相検出部７０と同様に、バッテリ部４０からの電力を用いて、残留電位ＶＲを検出してもよい。
【００５８】
切り換え部１７２は、ＡＣ電源１０からの電力供給が停止した際、電位検出部１７０で検出された電位に基づき、バッテリ部４０の電力を照明部５０に供給する供給状態と、バッテリ部４０の電力を照明部５０に供給しない非供給状態とを切り換える。
【００５９】
第２実施形態に係る照明装置１３０及び照明用電源回路１６０は、第１実施形態に係る照明装置３０及び照明用電源回路６０と同様の効果を奏する。なお、照明用電源回路６０、１６０は、位相検出部７０と電位検出部１７０とを両方とも有していてもよく、この場合、切り換え部７２、１７２は、位相検出部７０と電位検出部１７０の両方の検出結果を用いて、第２経路６４の接続状態を切り替えることができる。
【符号の説明】
【００６０】
１０…ＡＣ電源
２０…片切スイッチ
３０、１３０…照明装置
４０…バッテリ部
４２…ＢＴ制御ＩＣ
４４…バッテリ本体
５０…照明部
５２…ＬＥＤ
５４…基板
６０、１６０…照明用電源回路
６２…第１経路
６４…第２経路
６６…第３経路
６８…ＡＣ−ＤＣ変換部
７０…位相検出部
７２、１７２…切り換え部
１７０…電位検出部
【図１】
2018010784.tif 000003
【図２】
2018010784.tif 000004
【図３】
2018010784.tif 000005
【図４】
2018010784.tif 000006
【図５】
2018010784.tif 000007
【図６】
2018010784.tif 000008
【図７】
2018010784.tif 000009